【手続補正書】
【提出日】平成29年10月2日(2017.10.2)
【手続補正１】
【補正対象書類名】特許請求の範囲
【補正対象項目名】全文
【補正方法】変更
【補正の内容】
【特許請求の範囲】
【請求項１】
制御対象装置を制御するための制御システムに用いられる無線中継装置であって、
前記制御対象装置を制御するための制御コマンドを出力する携帯通信端末との間で、近接無線通信である第１の通信を行なう第１通信インターフェイスと、
前記携帯通信端末との間で前記近接無線通信とは異なる第２の通信を行なう第２通信インターフェイスと、
前記制御対象装置との間で第３の通信を行なう第３通信インターフェイスと、
アクセスキーを記憶するアクセスキー格納部と、
前記第１の通信により、前記アクセスキーを前記携帯通信端末に送信するアクセスキー送信部と、
前記第２の通信により、前記携帯通信端末から前記アクセスキーを受信すると、前記アクセスキー格納部に記憶されている前記アクセスキーに基づき、前記受信されたアクセスキーが正当であるか否かを判定して、前記受信されたアクセスキーが正当であると、前記第２の通信により前記携帯通信端末から受信される前記制御コマンドを、前記第３の通信により前記制御対象装置に送信し、前記受信されたアクセスキーが正当でないと、前記受信される制御コマンドを前記制御対象装置に送信しない制御コマンド中継部と、
前記アクセスキー格納部に記憶されている前記アクセスキーを変更するアクセスキー設定部と、
を備える、無線中継装置。
【請求項２】
請求項１に記載の無線中継装置において、さらに、
前記制御システムに含まれる管理装置との間で第４の通信を行なう第４通信インターフェイスを備え、
前記アクセスキー設定部は、前記第４の通信により前記管理装置から受信した指示に応じて、前記アクセスキー格納部に記憶されている前記アクセスキーを変更する、無線中継装置。
【請求項３】
請求項１または請求項２に記載の無線中継装置において、さらに、
前記制御コマンド中継部により前記アクセスキーが受信されるよりも前に、前記第２の通信により前記携帯通信端末から前記アクセスキーを受信して、該受信されたアクセスキーが正当であるか否かを判定するアクセスキー受信部と、
該受信されたアクセスキーが正当である場合に、前記制御対象装置の制御に用いられる装置制御情報を、前記第２の通信により前記携帯通信端末に送信する装置制御情報送信部と、
を備える、無線中継装置。
【請求項４】
請求項３に記載の無線中継装置において、
前記アクセスキー受信部は、複数の前記携帯通信端末から少なくとも２つの種類の前記アクセスキーを受信し、
複数の前記携帯通信端末に送信される前記装置制御情報は、前記アクセスキーの種類に応じて互いに異なる、無線中継装置。
【請求項５】
請求項３または請求項４に記載の無線中継装置において、
前記装置制御情報は、前記制御対象装置の機種情報と、前記制御対象装置における制御可能な項目を示す情報と、前記項目の設定可能範囲を示す情報と、のうち、少なくとも１つを含む、無線中継装置。
【請求項６】
制御対象装置を制御するための制御システムであって、
前記制御対象装置を制御するための制御コマンドを出力する携帯通信端末と、
無線中継装置であって、
前記携帯通信端末との間で近接無線通信である第１の通信を行い、
前記携帯通信端末との間で前記近接無線通信とは異なる第２の通信を行い、
前記制御対象装置との間で第３の通信を行い、
アクセスキーを記憶する、無線中継装置と、
を備え、
前記無線中継装置は、前記第１の通信により、前記アクセスキーを前記携帯通信端末に送信し、
前記携帯通信端末は、前記第２の通信により前記アクセスキーと前記制御コマンドとを前記無線中継装置に送信し、
前記無線中継装置は、前記第２の通信により、前記携帯通信端末から前記アクセスキーを受信すると、前記記憶されている前記アクセスキーに基づき、前記受信されたアクセスキーが正当であるか否かを判定して、前記受信されたアクセスキーが正当であると、前記第２の通信により前記携帯通信端末から受信される前記制御コマンドを、前記第３の通信により前記制御対象装置に送信し、前記受信されたアクセスキーが正当でないと、前記受信される制御コマンドを前記制御対象装置に送信せず、
前記無線中継装置は、前記記憶されている前記アクセスキーを変更可能に構成されている、制御システム。
【請求項７】
請求項６に記載の制御システムにおいて、さらに、
前記無線中継装置との間で第４の通信を行なって、前記アクセスキーの設定を指示する管理装置を備え、
前記無線中継装置は、前記第４の通信により前記管理装置から受信した指示に応じて、記憶されている前記アクセスキーを変更する、制御システム。
【請求項８】
請求項６または請求項７に記載の制御システムにおいて、
前記携帯通信端末は、表示部を有し、
前記携帯通信端末は、前記第２の通信により前記アクセスキーを前記無線中継装置に少なくとも２回送信し、
前記無線中継装置は、
前記少なくとも２回の前記アクセスキーの送信のうち、時間的により前に実行された前記アクセスキーの送信によって、前記アクセスキーを受信すると、該受信された前記アクセスキーが正当であるか否かを判定し、該受信されたアクセスキーが正当である場合に、前記制御対象装置の制御に用いられる装置制御情報を、前記第２の通信により前記携帯通信端末に送信し、
前記少なくとも２回の前記アクセスキーの送信のうち、時間的により後に実行された前記アクセスキーの送信によって、前記アクセスキーを受信すると、前記記憶されている前記アクセスキーに基づき、該受信されたアクセスキーが正当であるか否かを判定して、該受信されたアクセスキーが正当であると、前記第２の通信により前記携帯通信端末から受信される前記制御コマンドを、前記第３の通信により前記制御対象装置に送信し、該受信されたアクセスキーが正当でないと、前記受信される制御コマンドを前記制御対象装置に送信せず、
前記携帯通信端末は、前記無線中継装置から受信した前記装置制御情報に基づき前記制御対象装置の制御用画面を生成して、前記表示部に表示する、制御システム。
【請求項９】
請求項８に記載の制御システムにおいて、
前記装置制御情報は、前記制御対象装置の機種情報と、前記制御対象装置における制御可能な項目を示す情報と、前記項目の設定可能範囲を示す情報と、のうち、少なくとも１つを含む、制御システム。
【請求項１０】
請求項６から請求項９までのいずれか一項に記載の制御システムにおいて、
複数の部屋に、それぞれ少なくとも１つの前記無線中継装置が配置され、
前記複数の部屋に、それぞれ少なくとも１つの前記制御対象装置が配置され、
各部屋に配置されている前記無線中継装置は、それぞれ、互いに異なる前記アクセスキーを記憶している、制御システム。
【請求項１１】
請求項６から請求項１０のいずれか一項に記載の制御システムにおいて、
複数の前記無線中継装置を備え、
前記複数の無線中継装置は、それぞれ互いに異なる前記制御対象装置を制御するために用いられ、
前記複数の無線中継装置には、それぞれ互いに異なる種類の前記アクセスキーが割り当てられており、
前記複数の無線中継装置は、それぞれ各前記無線中継装置と各前記無線中継装置に割り当てられている前記アクセスキーとを対応付けて記憶し、
前記複数の無線中継装置は、それぞれ前記複数の無線中継装置のうちの他の無線中継装置との間で第５の通信を行なうことが可能であり、
前記複数の無線中継装置は、それぞれ、前記第２の通信により、前記携帯通信端末から前記アクセスキーを受信すると、前記記憶されている各アクセスキーに基づき、前記受信されたアクセスキーが正当であるか否かを判定して、
前記受信されたアクセスキーが正当であり、かつ、該アクセスキーが自らに割り当てられているアクセスキーである場合に、前記第２の通信により前記携帯通信端末から受信される前記制御コマンドを、前記第３の通信により前記制御対象装置に送信し、
前記受信されたアクセスキーが正当であり、かつ、該アクセスキーが前記他の無線中継装置に対応付けられているアクセスキーである場合に、前記受信される制御コマンドを、前記第５の通信により、該他の無線中継装置に送信し、
前記受信されたアクセスキーが正当でないと、前記受信される制御コマンドを前記制御対象装置および前記他の無線中継装置に送信しない、制御システム。
【請求項１２】
制御システムを用いて制御対象装置を制御するための方法であって、
前記制御システムは、前記制御対象装置を制御するための制御コマンドを出力する携帯通信端末と、無線中継装置であって、
前記携帯通信端末との間で近接無線通信である第１の通信を行い、
前記携帯通信端末との間で前記近接無線通信とは異なる第２の通信を行い、
前記制御対象装置との間で第３の通信を行い、
アクセスキーを記憶する、無線中継装置と、
を有し、
前記方法は、
（ａ）前記無線中継装置において、前記第１の通信により、前記アクセスキーを前記携帯通信端末に送信する工程と、
（ｂ）前記携帯通信端末において、前記第２の通信により、前記アクセスキーを前記無線中継装置に送信する工程と、
（ｃ）前記無線中継装置において、前記第２の通信により、前記携帯通信端末から前記アクセスキーを受信すると、前記記憶されている前記アクセスキーに基づき、前記受信されたアクセスキーが正当であるか否かを判定して、前記受信されたアクセスキーが正当であると、前記第２の通信により前記携帯通信端末から受信される前記制御コマンドを前記第３の通信により前記制御対象装置に送信し、前記受信されたアクセスキーが正当でないと、前記受信される制御コマンドを前記制御対象装置に送信しない工程と、
（ｄ）前記無線中継装置において、前記記憶されている前記アクセスキーを変更する工程と、
を備える、方法。
【請求項１３】
制御対象装置を制御するための制御システムに用いられる無線中継装置用のコンピュータープログラムであって、
前記制御対象装置を制御するための制御コマンドを出力する携帯通信端末との間で、近接無線通信である第１の通信を行なう機能と、
前記携帯通信端末との間で前記近接無線通信とは異なる第２の通信を行なう機能と、
前記制御対象装置との間で第３の通信を行なう機能と、
アクセスキーを記憶する機能と、
前記第１の通信により、前記アクセスキーを前記携帯通信端末に送信する機能と、
前記第２の通信により、前記携帯通信端末から前記アクセスキーを受信すると、前記記憶されている前記アクセスキーに基づき、前記受信されたアクセスキーが正当であるか否かを判定して、前記受信されたアクセスキーが正当であると、前記第２の通信により前記携帯通信端末から受信される前記制御コマンドを、前記第３の通信により前記制御対象装置に送信し、前記受信されたアクセスキーが正当でないと、前記受信される制御コマンドを前記制御対象装置に送信しない機能と、
前記記憶されている前記アクセスキーを変更する機能と、
を前記無線中継装置が有するコンピューターに実現させるためのプログラム。
【手続補正２】
【補正対象書類名】明細書
【補正対象項目名】００４６
【補正方法】変更
【補正の内容】
【００４６】
図６に示すように、携帯通信端末２００において、リモートコントローラー部２１３は、前述のステップＳ１３５が実行された後、操作用画面を用いた制御操作が発生するまで待機しており（ステップＳ１４０）、制御操作が発生すると（ステップＳ１４０：ＹＥＳ）、操作内容に従った制御コマンドと共にアクセスキー格納部２２１に格納されているアクセスキーを、無線ＬＡＮ通信制御回路２４２を介して無線中継装置１００に送信する（ステップＳ１４５）。例えば、図７に示す制御画面Ｗ２において、宿泊客がボタンＢ１１を押下すると、リモートコントローラー部２１３は、照明装置４００ａの電源をオンにするための制御コマンドと共にアクセスキーを、無線中継装置１００に送信する。こうして制御画面Ｗ２を用いた操作が完了すると、タッチパネル２３０の表示は操作用画面Ｗ１に戻される。